(57)【要約】【課題】フェンス基礎のフェンス支柱の固定部分においてコンクリートにひび割れが発生することを防止でき、フェンス支柱の倒れ調整等を簡単に行うのに適したフェンス支柱固定具を用いたフェンス支柱固定構造を提供すること。【解決手段】コンクリート製のフェンス基礎に埋設して使用されるフェンス支柱固定金具１において、その上端開口部３はフェンス支柱２１に対応する大きさの矩形断面の部分であり、その胴部２は、上端開口部３から底部４に向かって外方に広がるテーパー付き胴部分である。フェンス基礎の両側の基礎側面１２、１３と上端開口部３との間のコンクリート部分の厚さを確保でき、この部分に亀裂ができることを防止できる。フェンス支柱固定金具１に挿入したフェンス支柱２１は、上端開口部によって前後左右の位置決めが行われ、上端開口部を中心として、垂直な姿勢となるように、倒れ調整を簡単に行える。【選択図】図２
2020037836.tif 000002
【特許請求の範囲】
【請求項１】
フェンス支柱の矩形断面の支柱下端部をコンクリート製のフェンス基礎に固定するために、前記フェンス基礎に埋設して使用されるフェンス支柱固定具であって、
前記フェンス基礎に埋設される矩形筒状の胴部と、
前記フェンス基礎の上端面に露出させる前記胴部の上端開口部と、
前記胴部の下端を封鎖している底部
を備えており、
前記上端開口部は、前記胴部における最小断面の部分であり、前記フェンス支柱の前記支柱下端部を差し込み可能な大きさであり、
前記胴部には、前記上端開口部から前記底部に向かって、断面が徐々に広がるテーパー付き胴部分が形成されており、
前記上端開口部から前記胴部内に挿入される前記支柱下端部の外周側面と、前記テーパー付き胴部分の内周側面との間に、前記フェンス支柱の傾き調整用の隙間が形成されるようになっていることを特徴とするフェンス支柱固定具。
【請求項２】
請求項１において、
前記胴部の全体が、前記テーパー付き胴部分となっているフェンス支柱固定具。
【請求項３】
フェンス支柱の矩形断面の支柱下端部をコンクリート製のフェンス基礎に固定しているフェンス支柱固定構造であって、
コンクリート製のフェンス基礎と、
前記フェンス基礎に埋設された請求項１または２に記載のフェンス支柱固定具と
を有しており、
前記フェンス支柱固定具は、対峙する一対の外周側面が前記フェンス基礎の長さ方向に平行となるように、前記フェンス基礎に埋設され、前記上端開口部が前記フェンス基礎の上端面に露出しており、
前記フェンス支柱の前記支柱下端部は、前記フェンス支柱固定具の前記上端開口部から前記底部まで挿入されており、
前記支柱下端部の外周側面と前記フェンス支柱固定具の内周側面との間には、前記フェンス支柱の傾き調整用の隙間が形成されていることを特徴とするフェンス支柱固定構造。
【発明の詳細な説明】
【技術分野】
【０００１】
本発明は、アルミニウム製等の角パイプからなるフェンス支柱をコンクリート製のフェンス基礎に固定するために使用されるフェンス支柱固定具、および当該フェンス支柱固定具を用いたフェンス支柱固定構造に関する。
【背景技術】
【０００２】
敷地の境界などに設置されるフェンスとしてアルミフェンスが知られている。アルミフェンスでは、コンクリート製のフェンス基礎に一定の間隔で垂直に立設したアルミニウム製の角パイプからなるフェンス支柱の間にネット等が取り付けられている。フェンス支柱をフェンス基礎に固定するために紙製のボイド管を用いた施工が行われている。
【０００３】
図３を参照して説明すると、アルミフェンス１００では、角パイプからなるフェンス支柱１０２の支柱下端部１０２ａをフェンス基礎１０３に固定するために、フェンス基礎１０３の打設前に、紙製の円筒形状のボイド管１０４を想像線で示すように配置する。コンクリート打設後に、硬化したコンクリートからボイド管１０４を除去して、フェンス支柱１０２を差し込み可能な一回り大きな円形の支柱埋設穴１０５を形成している。フェンス支柱１０２の施工においては、支柱埋設穴１０５に、フェンス支柱１０２の支柱下端部１０２ａを挿入し、支柱下端部１０２ａと支柱埋設穴１０５の間に、コンクリートを充填して硬化させて、フェンス支柱１０２をフェンス基礎１０３に固定している。ボイド管を用いたフェンス支柱の施工については、例えば、特許文献１に記載されている。
【先行技術文献】
【特許文献】
【０００４】
【特許文献１】特開２０１６−８４６４７号公報
【発明の開示】
【発明が解決しようとする課題】
【０００５】
ボイド管を用いたフェンス支柱の施工においては次のような解決すべき課題がある。図３に示すように、角パイプからなるフェンス支柱１０２の支柱下端部１０２ａを挿入できるように、一定幅のフェンス基礎１０３の立ち上がり部分に、円筒状のボイド管１０４によって、角パイプより一回り大きな円形の支柱埋設穴１０５が形成される。必要とされる内径寸法の支柱埋設穴１０５が形成されたフェンス基礎１０３の部分においては、その両側の基礎側面１０３ａ、１０３ｂと支柱埋設穴１０５との間のコンクリート部分１０３ｃ、１０３ｄの厚さが薄くなる。フェンス支柱１０２に大きな外力が作用すると、フェンス基礎１０３における支柱下端部１０２ａの両側の厚さの薄いコンクリート部分１０３ｃ、１０３ｄを起点として、コンクリートにひび割れが発生しやすい。
【０００６】
また、一回り大きな支柱埋設穴１０５に挿入したフェンス支柱１０２をフェンス基礎１０３に固定するに当たり、フェンス支柱１０２の前後左右の位置決め、倒れ調整等の作業が行われる。このような作業を簡単に行えることが望ましい。
【０００７】
本発明の目的は、このような点に鑑みて、フェンス基礎におけるフェンス支柱の固定部分においてコンクリートにひび割れが発生することを防止でき、フェンス支柱の倒れ調整等を簡単に行うのに適したフェンス支柱固定具、およびフェンス支柱固定構造を提供することにある。
【課題を解決するための手段】
【０００８】
本発明のフェンス支柱固定具は、フェンス基礎に少なくとも下半部分が埋設される矩形筒状の胴部と、フェンス基礎の上端面に露出させる胴部の上端開口部と、胴部の下端を封鎖している底部とを備えている。上端開口部は、胴部における最小断面の部分であり、フェンス支柱の支柱下端部を差し込み可能な大きさである。また、胴部には、上端開口部から底部に向かって、断面が徐々に広がっているテーパー付き胴部分が形成されており、上端開口部から胴部内に挿入される支柱下端部の外周側面と、テーパー付き胴部分の内周側面との間に、フェンス支柱の傾き調整用の隙間が形成されるようになっている。
【０００９】
ここで、典型的なフェンス支柱固定具では、その胴部の全体がテーパー付き胴部分とされる。すなわち、上端開口部から底部までの間が、底部に向かって断面が徐々に広がっている形状とされる。
【００１０】
この構造のフェンス支柱固定具を用いたフェンス支柱固定構造では、フェンス支柱固定具が、その対峙する一対の外周側面がフェンス基礎の両側の基礎側面に平行となるように、フェンス基礎に埋設され、上端開口部がフェンス基礎の上端面から露出している。また、フェンス支柱の支柱下端部は、フェンス支柱固定具の上端開口部から底部に至るまで挿入されている。支柱下端部の外周側面とフェンス支柱固定具の内周側面との間には、フェンス支柱の傾き調整用の隙間が形成される。
【００１１】
フェンス支柱の施工においては、フェンス支柱固定具の両側の外周側面が、フェンス基礎の両側の基礎側面に平行となるようにフェンス基礎に埋設される。フェンス支柱固定具の上端開口部は、フェンス支柱固定具において最も断面が小さな部分である。この上端開口部は、フェンス支柱の支柱下端部を挿入可能な大きさであればよいので、フェンス支柱の支柱下端部と実質的に同一あるいは、僅かに大きな矩形開口部とすることができる。この結果、ボイド管を用いてフェンス支柱よりも大きな円形穴を形成する場合に比べて、フェンス支柱固定具の両側の外周側面と、フェンス基礎の両側の基礎側面との間に位置するコンクリート部分の厚さを十分に確保できる。よって、フェンス基礎の上端面において、フェンス支柱と基礎側面との間のコンクリート部分の亀裂発生が防止あるいは抑制される。
【００１２】
また、フェンス支柱固定具における上端開口部は最小断面部分であり、上端開口部の下側の部分には、下方に向かって広がるテーパー付き胴部分となっている。フェンス支柱固定具に挿入したフェンス支柱は、上端開口部によって前後左右の位置決めが行われ、また、上端開口部を中心として、垂直な姿勢となるように、倒れ調整を簡単に行うことができる。よって、一回り大きな円形穴にフェンス支柱を立てて、その位置決め、倒れ調整を行う場合よりも、フェンス支柱の位置決め、倒れ調整等の作業も容易になる。
【図面の簡単な説明】
【００１３】
【図１】本発明を適用したフェンス支柱固定具の一例を示す平面図および縦断面図である。
【図２】図１のフェンス支柱固定具を用いて施工されたアルミフェンスを示す平面図、立面図、部分拡大平面図および部分拡大断面図である。
【図３】ボイド管を用いたフェンス支柱の固定構造を示す平面図、立面図、および部分拡大平面図である。
【発明を実施するための形態】
【００１４】
以下に、図面を参照して本発明を適用したフェンス支柱固定具およびフェンス支柱固定構造の実施の形態を説明する。
【００１５】
図１（ａ）はフェンス支柱固定具を示す平面図であり、図１（ｂ）はその縦断面図である。本例のフェンス支柱固定具はスチール板等の金属材料から製作されており、以下の説明においては、フェンス支柱固定金具と呼ぶ。金属以外の素材、例えば、硬質プラスチックなどから製作したフェンス支柱固定具を用いることも可能であり、フェンス支柱固定具の素材は金属に限定されるものではない。
【００１６】
フェンス支柱固定金具１は、全体として上下に細長い矩形筒状の胴部２を備えている。胴部２は、その上端開口部３から、底板４ａによって封鎖されている底部４まで、断面が徐々に広がっているテーパー付き胴部である。したがって、フェンス支柱固定金具1の内部に形成される矩形断面の空洞５は、上端開口部３において最小断面の部分となり、底部４において最大断面の部分となっている。
【００１７】
本例では、矩形筒状の胴部２を規定している４つの外周側板２ａ、２ｂ、２ｃ、２ｄが、上端開口部３から底部４に向かって、僅かな角度で外方に広がっている。すなわち、相互に対峙する外周側板２ａと２ｃは、上端開口部３から下端の底部４に向けて、徐々に離れる方向に同一角度のテーパーが付いている。同様に、相互に対峙する外周側板２ｂ、２ｄも、上端開口部３から下端の底部４に向けて、徐々に離れる方向に同一角度のテーパーが付いている。
【００１８】
ここで、市販の矩形断面のフェンス支柱の縦横の寸法は３０ｍｍ〜７０ｍｍである。これに合わせて、フェンス支柱固定金具１における最小断面の上端開口部３の縦横の寸法Ａ×Ａは、フェンス支柱の縦横の寸法の３０ｍｍ〜７０ｍｍと実質的に同一あるいは僅かに大きな寸法に設定され、上端開口部３に施工対象のフェンス支柱の支柱下端部を差し込み可能となっている。フェンス支柱固定金具１における最大断面の底部の縦横の寸法は、フェンス支柱の縦横の寸法の３０ｍｍ〜７０ｍｍよりも２０ｍｍ程度広い寸法に設定されている。スチール製のフェンス支柱固定金具１の外周側板２ａ〜２ｄ、底板４ａの厚さは、必要とされる強度を確保するために３ｍｍ〜５ｍｍ程度の厚さ寸法に設定されている。また、フェンス支柱の支柱下端部のフェンス基礎に対する埋込寸法は１５０ｍｍ〜４５０ｍｍとされており、これに対応するように、フェンス支柱固定金具１の高さ寸法Ｂが設定される。
【００１９】
図２（ａ）は、フェンス支柱固定金具１を用いて施工されたアルミフェンスを示す平面図であり、図２（ｂ）はその立面図であり、図２（ｃ）はその部分拡大平面図であり、図２（ｄ）はその部分拡大断面図である。
【００２０】
フェンス支柱固定金具１を用いたフェンス支柱の施工は次のように行われる。まず、コンクリート製の布基礎であるフェンス基礎１０の施工において、アルミフェンス２０のフェンス支柱２１の立設位置に、フェンス支柱固定金具１を配置してコンクリートを打設する。フェンス支柱固定金具１は全体がフェンス基礎１０に埋設され、その上端開口部３がフェンス基礎１０の基礎上端面１１から露出するように配置される。また、フェンス基礎１０の左右の基礎側面１２、１３に対して、フェンス支柱固定金具１の外周側板２ａ、２ｃが平行となるように配置される。
【００２１】
フェンス基礎１０に埋設した各フェンス支柱固定金具１に対して、その上端開口部３からその底板４ａに達するように、フェンス支柱２１の支柱下端部２１ａを差し込む。上端開口部３は、フェンス支柱２１とほぼ同一の矩形開口部であり、上端開口部３の内周縁によってフェンス支柱２１の前後左右の位置が決まる。
【００２２】
また、フェンス支柱固定金具１は上端開口部３から下端の底部４に向けて外方に広がる僅かなテーパーが付いている。フェンス支柱固定金具１に差し込まれたフェンス支柱２１の支柱下端部２１ａの外周側面と、フェンス支柱固定金具１の外周側板２ａ〜２ｄのそれぞれの内周側面との間には、隙間６ができる。隙間６は、底部４において最大となり、例えば約１０ｍｍの隙間６ができる。したがって、フェンス支柱固定具１が垂直となるように、倒れ調整を行うことができる。倒れ調整後のフェンス支柱２１の支柱下端部２１ａは、モルタル等によってフェンス支柱固定金具１に固定される。例えば、フェンス支柱２１の支柱下端部２１ａをフェンス支柱固定金具１に差し込む前に、フェンス支柱固定金具１の空洞５に所定量のモルタルを充填しておく。倒れ調整後に、フェンス支柱２１を、クサビなどを用いてその姿勢に保持する。各フェンス支柱２１をフェンス基礎１０に立設した後は、アルミフェンス２０のネット等の部材の組付け作業が行われる。
【００２３】
コンクリート製のフェンス基礎１０の基礎上端面１１に露出するフェンス支柱固定金具１の上端開口部３は、フェンス支柱２１とほぼ同一の矩形断面である。したがって、円筒状のボイド管を用いて支柱埋設穴を形成する場合に比べて、基礎上端面１１において、フェンス支柱固定金具１と左右の基礎側面１２、１３との間のコンクリート部分１４、１５が薄くなってしまうことを防止でき、必要な厚さを確保できる。よって、フェンス基礎１０の基礎上端面１１において、フェンス支柱２１の側から加わる力によって、コンクリート部分１４、１５の上端面部分に亀裂が発生することを防止できる。
【００２４】
（その他の実施の形態）
本発明を適用したフェンス支柱固定具は、上記の形状に限定されるものではない。例えば、上記のフェンス支柱固定金具として、上記の例における対峙する２つの外周側板２ａ、２ｃが上下方向に垂直に延び、他方の２つの外周側板２ｂ、２ｄのみが、上端開口部３から底部４に向かって外方の拡がるテーパーが付いている形状のものを用いることも可能である。また、３つの外周側板２ａ、２ｃ、２ｄが上下方向に垂直に延び、１つの外周側板２ｂが対峙する外周側板２ｄに対して下方に向かって離れる方向にテーパーが付いている形状のものを用いることも可能である。
【００２５】
さらに、フェンス支柱固定具として、その胴部の一部分がテーパー付き胴部分となっているものを用いることも可能である。例えば、胴部における上半部分がテーパー付き胴部分となっており、下半部分は同一断面の矩形筒形状となっている形状のものを用いることができる。逆に、胴部における下半部分がテーパー付き胴部分となっており、上半部分が同一断面の矩形筒形状をしているものを用いることも可能である。
【符号の説明】
【００２６】
１  フェンス支柱固定金具（フェンス支柱固定具）
２  胴部
２ａ、２ｂ、２ｃ、２ｄ  外周側板
３  上端開口部
４  底部
４ａ  底板
５    空洞
６    隙間
１０  フェンス基礎
１１  基礎上端面
１２、１３  基礎側面
１４、１５  コンクリート部分
２０  アルミフェンス
２１  フェンス支柱
２１ａ  支柱下端部
【図１】
2020037836.tif 000003
【図２】
2020037836.tif 000004
【図３】
2020037836.tif 000005
【手続補正書】
【提出日】令和1年9月13日(2019.9.13)
【手続補正１】
【補正対象書類名】特許請求の範囲
【補正対象項目名】請求項１
【補正方法】変更
【補正の内容】
【請求項１】
フェンス支柱の矩形断面の支柱下端部をコンクリート製のフェンス基礎に固定するために、前記フェンス基礎に埋設して使用されるフェンス支柱固定具であって、
前記フェンス基礎に埋設される矩形筒状の胴部と、
前記フェンス基礎の上端面に露出させる前記胴部の上端開口部と、
前記胴部の下端を封鎖している底部を備えており、
前記上端開口部は、前記胴部における最小断面の部分であり、前記フェンス支柱の前記支柱下端部を差し込み可能な大きさであり、
前記支柱下端部が差し込まれた状態において、前記上端開口部の内周縁によって前記フェンス支柱の前後左右の位置が決まるように、前記上端開口部は、前記支柱下端部に対応する大きさの矩形開口部に設定されており、
前記胴部には、前記上端開口部から前記底部に向かって、断面が徐々に広がるテーパー付き胴部分が形成されており、
前記上端開口部から前記胴部内に挿入される前記支柱下端部の外周側面と、前記テーパー付き胴部分の内周側面との間に、前記フェンス支柱の傾き調整用の隙間が形成されるようになっていることを特徴とするフェンス支柱固定具。
【手続補正２】
【補正対象書類名】明細書
【補正対象項目名】００１１
【補正方法】変更
【補正の内容】
【００１１】
フェンス支柱の施工においては、フェンス支柱固定具の両側の外周側面が、フェンス基礎の両側の基礎側面に平行となるようにフェンス基礎に埋設される。フェンス支柱固定具の上端開口部は、フェンス支柱固定具において最も断面が小さな部分である。本発明においては、この上端開口部は、フェンス支柱の支柱下端部を挿入可能な大きさに設定されており、フェンス支柱の支柱下端部と実質的に同一あるいは、僅かに大きな矩形開口部となっている。この結果、ボイド管を用いてフェンス支柱よりも大きな円形穴を形成する場合に比べて、フェンス支柱固定具の両側の外周側面と、フェンス基礎の両側の基礎側面との間に位置するコンクリート部分の厚さを十分に確保できる。よって、フェンス基礎の上端面において、フェンス支柱と基礎側面との間のコンクリート部分の亀裂発生が防止あるいは抑制される。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
フェンス支柱の矩形断面の支柱下端部をコンクリート製のフェンス基礎に固定しているフェンス支柱固定構造であって、
前記フェンス支柱と、前記フェンス基礎と、前記フェンス基礎に埋設されたフェンス支柱固定具とを有しており、
前記フェンス支柱固定具は、前記フェンス基礎に埋設される矩形筒状の胴部と、前記フェンス基礎の上端面に露出させる前記胴部の上端開口部と、前記胴部の下端を封鎖している底部とを備えており、
前記上端開口部は、前記胴部における最小断面の部分であり、前記フェンス支柱の前記支柱下端部を差し込み可能な大きさであり、
前記支柱下端部が差し込まれた状態において、前記上端開口部の内周縁によって前記フェンス支柱の前後左右の位置が決まるように、前記上端開口部は、前記支柱下端部に対応する大きさの矩形開口部に設定されており、
前記胴部には、前記上端開口部から前記底部に向かって、断面が徐々に広がるテーパー付き胴部分が形成されており、
前記フェンス支柱固定具は、前記胴部における対峙する一対の外周側面が前記フェンス基礎の長さ方向に平行となるように、前記フェンス基礎に埋設され、前記上端開口部が前記フェンス基礎の上端面に露出しており、
前記フェンス支柱の前記支柱下端部は、前記フェンス支柱固定具の前記上端開口部から前記底部まで挿入されており、
前記支柱下端部の外周側面と前記フェンス支柱固定具の前記テーパー付き胴部分の内周側面との間には、前記フェンス支柱の傾き調整用の隙間が形成されていることを特徴とするフェンス支柱固定構造。
【請求項２】
前記フェンス支柱固定具の前記胴部の全体が、前記テーパー付き胴部分となっている請求項１に記載のフェンス支柱固定構造。
【手続補正３】
【補正対象書類名】明細書
【補正対象項目名】０００１
【補正方法】変更
【補正の内容】
【０００１】
本発明は、アルミニウム製等の角パイプからなるフェンス支柱をコンクリート製のフェンス基礎に固定するために使用されるフェンス支柱固定具を用いたフェンス支柱固定構造に関する。
【手続補正４】
【補正対象書類名】明細書
【補正対象項目名】０００７
【補正方法】変更
【補正の内容】
【０００７】
本発明の目的は、このような点に鑑みて、フェンス基礎におけるフェンス支柱の固定部分においてコンクリートにひび割れが発生することを防止でき、フェンス支柱の倒れ調整等を簡単に行うのに適したフェンス支柱固定具を用いたフェンス支柱固定構造を提供することにある。
【手続補正５】
【補正対象書類名】明細書
【補正対象項目名】０００８
【補正方法】変更
【補正の内容】
【０００８】
本発明のフェンス支柱固定構造に用いるフェンス支柱固定具は、フェンス基礎に少なくとも下半部分が埋設される矩形筒状の胴部と、フェンス基礎の上端面に露出させる胴部の上端開口部と、胴部の下端を封鎖している底部とを備えている。上端開口部は、胴部における最小断面の部分であり、フェンス支柱の支柱下端部を差し込み可能な大きさである。また、胴部には、上端開口部から底部に向かって、断面が徐々に広がっているテーパー付き胴部分が形成されており、上端開口部から胴部内に挿入される支柱下端部の外周側面と、テーパー付き胴部分の内周側面との間に、フェンス支柱の傾き調整用の隙間が形成されるようになっている。